(57)【特許請求の範囲】
【請求項１】
上面にパイプ取付用の挿入口と下面に空気吸引用の吸気口を開口し内部に単一の袋状包摂空間を有した払拭体と、
貫通孔を有し且つ密閉された袋体に空気を注入排気する空気バルブを取着し、前記空気バルブを介して前記袋体に空気を注入すると膨張して単一の内部空間を形成し空気を排気すると萎む性質を有したヘッドを有し、
前記ヘッドを前記払拭体に装着する際に、空気を排気して萎んだ前記袋体を前記袋状包摂空間に内装し、前記空気バルブを前記挿入口に配置して、前記空気バルブから空気を前記袋体の前記内部空間に注入すると前記袋体は略緊張状態になるまで膨張し、前記袋体の膨張は前記払拭体により阻止され、一定の膨張段階で膨張を停止し、前記袋体が前記袋状包摂空間の隅々にまで膨張し、前記ヘッドが前記払拭体の全内面を内部から内圧で支持して前記ヘッドが清掃可能形状を保持し、
前記貫通孔の表側貫通孔口が前記挿入口に対向し、前記貫通孔の裏側貫通孔口が前記吸気口に対向しており、しかも前記裏側貫通孔口が前記払拭体の厚みだけ被清掃面から浮いて被清掃面の塵埃を効率的に吸引することができ、
前記表側貫通孔口に密閉状に連通されたパイプと、前記パイプに連結された電動操作部を有し、前記電動操作部の操作により、前記吸気口及び前記裏側貫通孔口を介して被清掃面から空気を吸引し前記貫通孔及び前記パイプを通して吸塵清掃でき、且つ前記払拭体により前記被清掃面を払拭清掃できることを特徴とするモップ兼用型電気掃除機。
【請求項２】
フレキシブルジョイントの連通孔が前記貫通孔に合致するように、前記フレキシブルジョイントの基端部を前記袋体に接合し、前記フレキシブルジョイントのパイプ受部に前記パイプを嵌合して、前記パイプを傾動自在に構成する請求項1に記載のモップ兼用型電気掃除機。
【請求項３】
前記フレキシブルジョイントは、柔軟チューブ部材、ヒンジ部材、蛇腹部材、又はその他の前記パイプを傾動自在に保持可能な部材である請求項２に記載のモップ兼用型電気掃除機。
【請求項４】
前記フレキシブルジョイントは、内部に前記連通孔を有するように前記基端部と蛇腹部と前記パイプ受部から構成され、前記蛇腹部によりフレキシブル特性を有する蛇腹部材である請求項３に記載のモップ兼用型電気掃除機。
【請求項５】
前記払拭体は伸縮性の無い基布で形成されて当該前記基布の少なくとも下面に払拭片を植成した請求項1〜４のいずれかに記載のモップ兼用型電気掃除機。
【請求項６】
前記袋体は膨張自在なゴム材又は合成樹脂材で構成される請求項1〜５のいずれかに記載のモップ兼用型電気掃除機。
【請求項７】
前記袋体は延伸自在なゴム材又は合成樹脂材からなる延伸層と前記延伸層の延伸を規制する延伸規制層を積層したラミネート材から形成され、前記袋体は空気注入により略緊張状態になるまで膨張する請求項１〜５のいずれかに記載のモップ兼用型電気掃除機。
【発明の詳細な説明】
【技術分野】
【０００１】
本発明は、床面や壁面を清掃するための電気掃除機に関し、更に詳細には、電気掃除機でありながら床面や壁面を払拭できるモップ機能を有するモップ兼用型電気掃除機に関する。
【背景技術】
【０００２】
通常、電気掃除機とモップは清掃用具として広く両立して使用されてきた。しかし、電気掃除機とモップは別体のため、収納場所が異なり、また使用勝手が異なる等の不便を生じていた。そこで、電気掃除機とモップを兼用する掃除用具が開発されるようになった。
【０００３】
本願の図７は、特許３６６３６３０号公報（特許文献１）に開示された掃除用具載置台１０１を示している。この掃除用具載置台１０１は、機能が異なる電気掃除機Ａと乾式モップＤを同じ掃除用具載置台１０１に装備して収納場所を共同使用し、常に両者を同じ場所で保管して使用勝手を良好にしている。
掃除用具載置台１０１には、基部１０２に連通孔１１３だけ開けて支持腕１０７を左側に突設した隔壁板が立設されており、その左側に電気掃除機Ａを直立収納し、その右側に乾式モップＤを直立収納する構造になっている。基部１０２には、連通孔１１３と凹溝１０６からなる連通路１１４が形成され、端部に突条１０５を設けて吸込口体載置部１０４が設けられている。また、右側には切欠部１１１ａ、立設部１０３及び収納部１０８により収納室１０９が設けられている。
電気掃除機Ａはその吸込口体Ｂを吸込口体載置部１０４に載置して胴部を支持腕１０７で抱えられて立設される。乾式モップＤは、ハンドルＧを垂直に立て、ジョイントＦで連結されたモップ部Ｅをほぼ垂直にして入口１１１から収納室１０９に収納される。モップ部Ｅは掻き落とし部１１２で除塵され、傾斜部１１０及び顎部１１０ａに立て掛けられている。
【０００４】
本願の図８は、特許４８５９９８８号公報（特許文献２）に開示された吸入式ウェット・ジェットモップを示している。この吸入式ウェット・ジェットモップは、ウェット・ジェット機の下端にパッドを巻回したヘッドを設け、薬液をスプレーして床面をパッドで払拭し、その後汚れた薬液を吸入ノズルで吸入して清掃するものである。即ち、１台でウェット・ジェット機と使用でき、しかもパッドで床を払拭できる兼用型電気掃除機である。構造は以下の通りである。
床清掃装置２１０は、ハンドルアセンブリ２１４として、上方ハンドル部２２６にキャップ２９２と液体送出システム２９０が設けられ、筒状スリーブ２８４を介して筐体２２８に連結されている。筐体２２８には開口部２５１、２８６を介して下方にごみ収集アセンブリ２３２が設けられ、ユニバーサルジョイント２１６の下方には、清掃ヘッド２１２、スプレーノズル２２２、吸入ノズル２１８が被清掃床面２１３に対向配置されている。
ごみ収集アセンブリ２３２の下端は可撓性ホース２００に連結され、また吸入口１７０を有する吸入ノズル２１８はアーム１８２を介して枢支ピン１９０に連結され、アーム１８２は移動止め１９６により移動を止められている。パッド２７０は前縁２２０から曲げられて延長部２７４が上面２７５の上に達するように配置されている。
【０００５】
また、本願では、空気バルブを介して袋体に空気を注入すると膨張して内部空間を形成し空気を排気すると萎む性質を有したヘッドを有している。前記ヘッドを形成する袋体の素材に関連する先行文献として、以下の特許文献３及び特許文献４が存在する。
特許文献３は筒状ラミネート体の製造法を開示する特開平７−３０４１１２号公報である。その要約及び図１には、筒状芯材１２を中心に、その内側には筒状に形成した内層用熱融着性フィルム１１と、その外側には筒状に形成した外層性熱融着性フィルム１３が配された配層体１を用意し、この配層体１の外周を膨張規制材２で被覆して、筒状ラミネート体が提供されている。内層用熱融着性フィルム１１と筒状芯材１２と外層性熱融着性フィルム１３からなる配層体１が加熱により膨張する性質があったとしても、膨張規制材２で被覆されることによって、ラミネート体自体は膨張することなく一定の形態とサイズが保持されている。従って、この筒状ラミネート体は本願発明の袋体に適用することが可能である。
【０００６】
更に、特許文献４は乗物用エアーバッグを開示する実開平２−９１０５６号公報である。その実用新案登録請求の範囲には、合成繊維の長繊維織布の一面にゴム又は合成樹脂をコーティングすると共に、他面全面に不織布を点接着、あるいは点在せしめてなるシート材から形成され、不織布面を顔面接触面とした乗物用エアーバッグが記載されている。また、第２図には、ゴム３と長繊維織布２と不織布４を積層したシート材の断面図が記載されている。従って、この中から、ゴムと織布を積層したシート材を本願発明に適用することは可能である。
【先行技術文献】
【特許文献】
【０００７】
【特許文献１】特許３６６３６３０号公報
【特許文献２】特許４８５９９８８号公報
【特許文献３】特開平７−３０４１１２号公報
【特許文献４】実開平２−９１０５６号公報
【発明の概要】
【発明が解決しようとする課題】
【０００８】
前述したように、特許文献１に開示された掃除用具載置台１０１は、機能が異なる電気掃除機Ａと乾式モップＤを同じ掃除用具載置台１０１に装備して収納場所を共通にするだけものであり、あくまで電気掃除機Ａと乾式モップＤは別体であり、別々に使用するものである。本願発明のように、電気掃除機と乾式モップを一体化した装置とは全く異質なるものと言わざるを得ない。
【０００９】
また、特許文献２に開示された吸入式ウェット・ジェットモップは、ウェット・ジェット機の下端にパッドを巻回したヘッドを設けて、薬液をスプレーして床面をパッドで払拭し、その後汚れた薬液を吸入ノズルで吸入して清掃するものである。１台でウェット・ジェット掃除機として使用できるが、本願発明のように、液体を使用しない通常の電気掃除機に乾式モップを一体化した装置とは異なるものである。液体を使用するかしないかで装置の構造はかなり相違することは明らかである。
【００１０】
更に、本願発明では、袋体に空気を注入して略緊張状態にしたヘッドを使用して装置の軽量化を実現している。この袋体の素材として、特許文献３のラミネート体や特許文献４のシート材を利用することができる点では本願とは共通性を一部有している。しかし、袋体に空気を注入して略緊張状態にしたヘッドを使用して装置の軽量化を実現する点では、特許文献３及び特許文献４は本願発明とは全く異なるものである。
【００１１】
本発明に係るモップ兼用型電気掃除機は、袋体に空気を注入して略緊張状態まで膨張させたヘッドを払拭体に内装して構成したモップにより被清掃面を払拭清掃でき、同時にヘッドと払拭体を貫通してパイプにより被清掃面から空気を吸引して被清掃面を吸引清掃できる構成を有している。即ち、本発明に係るモップ兼用型電気掃除機は、モップとしての払拭清掃と電気掃除機としての吸引清掃を兼用できる構成を有し、電動オフすればモップによる払拭清掃ができ、電動オンでは吸引清掃しながら払拭清掃も可能となる。しかも、空気で膨張させたヘッドを使用するからモップとしてもかなり軽量であり、従来の電気掃除機の作用効果に加えてモップとしての作用効果を併有している。
【課題を解決するための手段】
【００１２】
本発明は上記課題を解決するためになされたものであり、本発明の第１の形態は、上面にパイプ取付用の挿入口と下面に空気吸引用の吸気口を開口し内部に袋状の包摂空間を有した払拭体と、貫通孔を有し且つ密閉された袋体に空気を注入排気する空気バルブを取着し、前記空気バルブを介して前記袋体に空気を注入すると膨張して内部空間を形成し空気を排気すると萎む性質を有したヘッドを有し、前記ヘッドを前記払拭体に装着する際に、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張して前記ヘッドが清掃可能形状を保持し、前記貫通孔の表側貫通孔口が前記挿入口に対向し、前記貫通孔の裏側貫通孔口が前記吸気口に対向しており、前記表側貫通孔口に密閉状に連通されたパイプと、前記パイプに連結された電動操作部を有し、前記電動操作部の操作により、前記吸気口及び前記裏側貫通孔口を介して被清掃面から空気を吸引し前記貫通孔及び前記パイプを通して吸塵清掃でき、且つ前記払拭体により前記被清掃面を払拭清掃できるモップ兼用型電気掃除機である。
【００１３】
本発明の第２の形態は、フレキシブルジョイントの連通孔が前記貫通孔に合致するように、前記フレキシブルジョイントの基端部を前記袋体に接合し、前記フレキシブルジョイントのパイプ受部に前記パイプを嵌合して、前記パイプを傾動自在に構成するモップ兼用型電気掃除機である。
【００１４】
本発明の第３の形態は、前記フレキシブルジョイントは、柔軟チューブ部材、ヒンジ部材、蛇腹部材、又はその他の前記パイプを傾動自在に保持可能な部材であるモップ兼用型電気掃除機である。
【００１５】
本発明の第４の形態は、前記フレキシブルジョイントは、内部に前記連通孔を有するように前記基端部と蛇腹部と前記パイプ受部から構成され、前記蛇腹部によりフレキシブル特性を有する蛇腹部材であるモップ兼用型電気掃除機である。
【００１６】
本発明の第５の形態は、前記払拭体は伸縮性の無い基布で形成されて当該前記基布の少なくとも下面に払拭片を植成したモップ兼用型電気掃除機である。
【００１７】
本発明の第６の形態は、前記袋体は膨張自在なゴム材又は合成樹脂材で構成されるモップ兼用型電気掃除機である。
【００１８】
本発明の第７の形態は、前記袋体は延伸自在なゴム材又は合成樹脂材からなる延伸層と前記延伸層の延伸を規制する延伸規制層を積層したラミネート材から形成され、前記袋体は空気注入により略緊張状態になるまで膨張するモップ兼用型電気掃除機である。
【発明の効果】
【００１９】
本発明の第１の形態によれば、上面にパイプ取付用の挿入口と下面に空気吸引用の吸気口を開口し内部に袋状包摂空間を有した払拭体と、貫通孔を有し且つ密閉された袋体に空気を注入排気する空気バルブを取着し、前記空気バルブを介して前記袋体に空気を注入すると膨張して内部空間を形成し空気を排気すると萎む性質を有したヘッドを有し、前記袋体を前記挿入口から前記包摂空間に内装し、前記空気バルブを前記挿入口に配置して、前記空気バルブから空気を前記袋体の内部空間に注入すると前記袋体は略緊張状態になるまで膨張して前記ヘッドが清掃可能形状を保持するモップ兼用型電気掃除機を提供できる。
前記ヘッドは、前記空気バルブから前記袋体に空気を注入して前記袋体を略緊張状態にまで膨張させて形成されるから、前記ヘッド自体が極めて軽量に形成でき、軽量なモップ兼用型電気掃除機を提供できる利点がある。また、この前記ヘッドを払拭体の袋状包摂空間に内装するには、空気を排気して萎んだ前記袋体を前記袋状包摂空間に内装すればよいから、内装作業が極めて効率的に行える。内装後に空気を注入すると、前記ヘッドが袋状包摂空間の隅々にまで膨張するから、前記ヘッドが前記払拭体を内部から内圧で支持し、清掃可能状態に形状を安定して保持することができる。
ここで、前記払拭体とは、被清掃面を払拭して清掃できる素材をすべて含んでおり、基布にパイルを植成した素材、スポンジ素材、ブラシ素材、不織紙、その他の素材を含む。
【００２０】
また、前記貫通孔の表側貫通孔口が前記挿入口に対向し、前記貫通孔の裏側貫通孔口が前記吸気口に対向しており、前記表側貫通孔口に密閉状に連通されたパイプと、前記パイプに連結された電動操作部を有し、前記電動操作部の操作により、前記吸気口及び前記裏側貫通孔口を介して前記被清掃面から空気を吸引し前記貫通孔及び前記パイプを通して吸塵清掃でき、且つ前記払拭体により前記被清掃面を払拭清掃できるモップ兼用型電気掃除機を提供できる。
前記ヘッドには前記表側貫通孔口と前記裏側貫通孔口が開いた前記貫通孔が形成され、他方前記払拭体にも前記挿入口と前記吸気口が開いており、前記ヘッドを前記払拭体に内装して膨張させると、前記挿入口と前記表側貫通孔口とが対面し、前記吸気口と前記裏側貫通孔口とが対面する。前記被清掃面は前記吸気口と前記裏側貫通孔口に対向するから、前記被清掃面の塵埃は前記吸気口から前記裏側貫通孔口を通して前記貫通孔へと吸引され、前記表側貫通孔口を介して前記パイプへと吸引移送される。従って、前記被清掃面を電気掃除機により、吸引清掃することができる。しかも、前記払拭体の下面は前記被清掃面に接触しているから、前記パイプを前後左右に移動させると、前記払拭体下面により前記被清掃面を払拭清掃することもできる。モップとしての払拭清掃と電気掃除機としての吸塵清掃の両方を単体の装置で実現でき、しかも前記ヘッド自体が極めて軽量であるから、老若男女を問わず簡単軽快に清掃できる特徴を有する。このように、本発明のモップ兼用型電気掃除機を用いると、床面を電気掃除機として吸引清掃できるだけでなく、モップとしても払拭清掃できる兼用性を有する。しかも、電気掃除機とモップが一体化しているから、使用者にとって極めて便利である。
【００２１】
本発明の第２の形態によれば、フレキシブルジョイントの連通孔が前記貫通孔に合致するように、前記フレキシブルジョイントの基端部を前記袋体に接合し、前記フレキシブルジョイントのパイプ受部に前記パイプを嵌合して、前記パイプを傾動自在に構成するモップ兼用型電気掃除機を提供できる。
前記払拭体に内装された前記ヘッド、即ち前記袋体に前記フレキシブルジョイントが接合され、吸引された塵埃は前記ヘッドの前記貫通孔から前記フレキシブルジョイントの前記連通孔を通して前記パイプへと強力に吸引されてゆく。しかも、前記フレキシブルジョイントの特性により、前記パイプは前記ヘッド（又は払拭体）に対し前後左右に傾動でき、使用者の清掃動作を自由自在にできる。
【００２２】
本発明の第３の形態によれば、前記フレキシブルジョイントは、柔軟チューブ部材、ヒンジ部材、蛇腹部材、又はその他の前記パイプを傾動自在に保持可能な部材であるモップ兼用型電気掃除機を提供できる。
前記フレキシブルジョイントの意味は柔軟性ジョイントであり、前記パイプの前後左右への傾動自在性を付与できるジョイントであれば何でもいい。ここで、柔軟性チューブとは軟質ゴムや軟質合成樹脂をチューブにしたもので、自由自在に変形できる特性を有する。ヒンジ部材とは前記ヘッドに対し前記パイプを前後左右に傾動できる連結具であり、例えばユニバーサルジョイントなどが含まれる。蛇腹部材とは伸縮する蛇腹を含む部材で、伸縮しながら前後左右にパイプを傾動させることができる。その他に、前記パイプを傾動自在に保持可能な部材であれば何でも前記フレキシブルジョイントとして活用できる。
【００２３】
本発明の第４の形態によれば、前記フレキシブルジョイントは、内部に前記連通孔を有するように前記基端部と蛇腹部と前記パイプ受部から構成され、前記蛇腹部によりフレキシブル特性を有する蛇腹部材であるモップ兼用型電気掃除機を提供できる。
ここでは、前記フレキシブルジョイントとして蛇腹部材が使用される。蛇腹部材は内部に前記連通孔を有して前記基端部と前記蛇腹部と前記パイプ受部から構成される。前記基端部が前記ヘッドである前記袋体に接合され、前記パイプ受け部が前記パイプに嵌合され、前記蛇腹部で前後左右への傾動特性を与える。蛇腹部材は、構造が簡単で、前後左右への傾動自在性が確実に実現できる点で有利である。
【００２４】
本発明の第５の形態によれば、前記払拭体は伸縮性の無い前記基布で形成されて当該前記基布の少なくとも下面に払拭片を植成したモップ兼用型電気掃除機を提供できる。
伸縮性の無い前記基布とは、織布、メッシュ状樹脂体などであり、この前記基布に前記払拭片、例えばパイルを縫着して前記払拭体が構成される。この前記払拭体がモップとなり、前記被清掃面を払拭操作により清掃することができる。
【００２５】
本発明の第６の形態によれば、前記袋体は膨張自在なゴム材又は合成樹脂材で構成されるモップ兼用型電気掃除機を提供できる。
本形態の前記袋体は、膨張自在、即ち伸縮自在なゴム材や合成樹脂材から形成され、萎んだ状態では収縮しきった前記袋体であるが、空気を注入するに従って風船のように伸長して膨張する。しかし、本発明では、萎んだ前記袋体を前記払拭体の前記袋状包摂空間に内装した後に膨張させるから、ある段階まで膨張すると、前記袋体は略緊張状態になり、前記袋体の膨張は前記払拭体により阻止され、一定の膨張段階で膨張を停止し、そのときに空気バルブを閉める。前記空気バルブを開けると、内部の圧縮された空気が一気に大気中に放出されるから、前記袋体は急速に収縮する。本形態では、このように膨張自在なゴム材又は合成樹脂材で前記袋体が形成される。
【００２６】
本発明の第７の形態によれば、前記袋体は延伸自在なゴム材又は合成樹脂材からなる延伸層と前記延伸層の延伸を規制する延伸規制層を積層したラミネート材から形成され、前記袋体は空気注入により略緊張状態になるまで膨張するモップ兼用型電気掃除機を提供できる。
本形態では、延伸層と延伸規制層を積層したラミネート材により前記袋体が形成される。このラミネート材の特性は、空気が排気された状態では緊張状態が無くなって前記袋体は萎んだ状態になり、空気を注入すると前記袋体は次第に膨張し、前記袋体が一定の略緊張状態になると膨張が停止することである。延伸自在ゴムではいくらでも膨張を続けるのと対照的な特性である。例えば、海水浴の浮輪は排気状態では萎んでおり、空気を注入すると一定の緊張状態まで膨張すると、それ以上空気注入は不能になる。このような性質を本形態で主張している。略緊張状態とは、緊張状態に幅があることを意味し、所望の緊張状態を包含する。
【図面の簡単な説明】
【００２７】
【図１】図１は本発明に係るモップ兼用型電気掃除機１の実施形態の一部断面正面図である。
【図２】図２は本発明に係るモップ兼用型電気掃除機１の実施形態の分解斜視図である。
【図３】図３は本発明に係るモップ兼用型電気掃除機１の実施形態の簡略断面図である。
【図４】図４は、本発明に係るモップ兼用型電気掃除機１において払拭体１０の中でヘッド２０が萎んだ状態図とヘッド２０の略緊張状態図である。
【図５】図５は、本発明に係るモップ兼用型電気掃除機１の実施形態の完成した簡略断面図である。
【図６】図６は、本発明に係るモップ兼用型電気掃除機１に使用されるフレキシブルジョイント４０の別実施例の概略図である。
【図７】特許第３６６３６３０号公報（特許文献１）に記載される掃除用具載置台１０１の一部断面正面図である。
【図８】特許第４８５９９８８号公報（特許文献２）に記載される吸入式ウェット・ジェットモップの正面図と一部斜視図である。
【発明を実施するための形態】
【００２８】
以下に、本発明に係る清掃用具の実施形態を図面に従って詳細に説明する。まず、図１〜図３は近縁図であるから図２を中心にして纏めて説明する。ここで、図１は本発明に係るモップ兼用型電気掃除機１の実施形態の一部断面正面図である。図２は本発明に係るモップ兼用型電気掃除機１の実施形態の分解斜視図である。図３は本発明に係るモップ兼用型電気掃除機１の実施形態の簡略断面図である。
【００２９】
図２から分かるように、モップ兼用型電気掃除機１の全体は、払拭体１０、ヘッド２０、フレキシブルジョイント４０、パイプ５０及び電動操作部６０から構成されている。払拭体１０は略直方体形状に形成され、上面と下面に矩形状の挿入口１１と吸気口１３が開口されている。挿入口１１と吸気口１３の内縁には挿入口周壁１２と吸気口周壁１４が存在する。また、内部には袋状包摂空間１５が存在する。
この払拭体１０はパイル体、スポンジ体、ブラシ体など、被清掃面２を払拭して清掃できる材料から形成されている。特に、本実施形態では、略直方体形状の基布１７の外表面に多数の払拭片１６を植成して構成されている。基布１７は織布、合成樹脂製のメッシュ体、その他の材料で構成され、伸縮しない素材で形成されている。この基布１７の外表面にパイル等の払拭片１６を多数植成している。
【００３０】
ヘッド２０は、中央に貫通孔２３を形成し、表面に空気バルブ２４を取着した密閉状の袋体２１から形成されている。貫通孔２３の上面側には表側貫通孔口２５があり、下面側には裏側貫通孔口２６が存在する。袋体２１の素材については、伸縮性のあるゴムや合成樹脂から形成してもよいし、伸縮素材層に伸縮防止層を張り付けて非伸縮性材料から形成しても構わない。空気バルブ２４から内部の空気を排気すれば袋体２１は萎み、ポンプで空気バルブ２４から空気を注入すると袋体２１は膨張して略緊張状態になる。従って、本発明ではこの袋体２１をヘッド２０と総称する。図１〜図３では、ヘッド２０は空気が注入されて略緊張状態になった状態が表現されている。このヘッド２０が払拭体１０の袋状包摂空間１５に内装される。まず、萎んだ状態のヘッド２０を袋状包摂空間１５に内装し、次に空気バルブ２４から空気を注入して膨張させると、袋状包摂空間１５の中で払拭体１０を外方へと押圧し、払拭体１０を清掃可能状態に保持する。
【００３１】
フレキシブルジョイント４０は、平板状の基端部４２と伸縮自在で傾動自在な蛇腹部４４とパイプ受部４３から構成されている。その内部には全長に亘って連通孔４１が形成され、連通孔４１の上端は連通孔上口４５で、下端は連通孔下口４６となっている。フレキシブルジョイント４０はヘッド２０の上面に接着剤や熱融着などで接合され、連通孔下口４６と表側貫通孔口２５とは合致して、連通孔４１と貫通孔２３とは一本の孔になる。
【００３２】
パイプ５０は内部にパイプ孔５２を有し、その下端にパイプ開口５１が存在する。パイプ５０の上端は電動操作部６０に接続され、電動操作部６０には手で把握できる把持部６１が形成されている。前記パイプ開口５１をフレキシブルジョイント４０のパイプ受部４３に嵌合して、パイプ５０はフレキシブルジョイント４０に連結される。
【００３３】
図３に、フレキシブルジョイント４０とヘッド２０とが接合され、パイプ５０と払拭体１０が分離された分解状態が示されている。図１には、払拭体１０とヘッド２０とフレキシブルジョイント４０とパイプ５０が接合された完成状態が示されている。特に、図１には、被清掃面２に対し払拭体１０が接触するから、ヘッド２０の裏側貫通孔口２６が払拭体１０の厚みだけ被清掃面２から浮いていることが示される。この隙間空間の存在により、裏側貫通孔口２６から被清掃面２の塵埃を効率的に吸引することができる。即ち、把持部６１を把握してパイプ５０を前後左右に振れば、払拭体１０により被清掃面２を払拭清掃でき、同時に電動操作部６０により被清掃面２から塵埃を吸塵する吸引清掃も可能になる。従って、本発明に係るモップ兼用型電気掃除機１により、電気掃除機による吸塵清掃とモップによる払拭清掃の両方が効率的に実施できる。
【００３４】
図４は、本発明に係るモップ兼用型電気掃除機１において、払拭体１０の中でヘッド２０が萎んだ状態図とヘッド２０の略緊張状態図である。
（４Ａ）は払拭体１０の中でヘッド２０が萎んだ状態図であり、（４Ｂ）はは払拭体１０の中でヘッド２０が略緊張状態に膨張した状態図である。ヘッド２０を払拭体１０の袋状包摂空間１５に内装するには、まず空気バルブ２４から空気を排気してヘッド２０を萎ませる。萎んだヘッド２０は払拭体１０の袋状包摂空間１５に容易に内装でき、内装後に空気バルブ２４から空気を注入すると、ヘッド２０、即ち袋体２１は膨張して略緊張状態に達する。このとき、膨張したヘッド２０は払拭体１０を内部から外方へと押圧するから、払拭体１０は清掃可能状態に形態を保持する。この清掃可能状態で、本発明に係るモップ兼用型電気掃除機１は電気掃除機機能とモップ機能を両立させながら清掃を効率的に行うことができる。
【００３５】
図５は、本発明に係るモップ兼用型電気掃除機１の実施形態の完成した簡略断面図である。この図は、図１の簡略断面図に相当し、前述したようにヘッド２０を略緊張状態にまで膨張させて、払拭体１０を清掃可能状態に形態形成する。そして、この清掃可能状態で、本発明に係るモップ兼用型電気掃除機１を操作して、電気掃除機機能とモップ機能を両立させながら清掃を効率的に行うのである。
【００３６】
図６は、本発明に係るモップ兼用型電気掃除機１に使用されるフレキシブルジョイント４０の別実施例の概略図である。（６Ａ）はヘッド２０に別実施例であるフレキシブルジョイント４０を接合した側面図であり、（６Ｂ）はその正面図である。フレキシブルジョイント４０は、平板状の基端部４２から上方に球面状に突設し、そしてヘッド２０の上面に平行に沿い、斜め上方へと傾斜している。平行部から斜め傾斜部が前述したパイプ受部４３である。
（６Ｃ）は（６Ｂ）のＢ−Ｂ線断面図であり、（６Ｄ）は（６Ａ）のＡ−Ａ線断面図である。平板状の基端部４２から上方に断面円形に突出した外環部４７と、この外環部４７の中に断面半円状の内環部４８を有し、この内環部４８はパイプ受部４３と一体に形成されている。パイプ受部４３を回動させると内環部４８も外環部４７の中を回動する。従って、パイプ受部４３にパイプ５０を嵌合し、パイプ５０を回動しながら清掃すると、このフレキシブルジョイント４０も回動して清掃活動を円滑にすることができる。
【００３７】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００３８】
本発明に係るモップ兼用型電気掃除機は、袋体に空気を注入して略緊張状態まで膨張させたヘッドを払拭体に内装して構成したモップにより被清掃面を払拭清掃でき、同時にヘッドと払拭体を貫通してパイプにより被清掃面から空気を吸引して被清掃面を吸引清掃できる構成を有している。即ち、本発明に係るモップ兼用型電気掃除機は、モップとしての払拭清掃と電気掃除機としての吸引清掃を兼用できる構成を有し、電動オフすればモップによる払拭清掃ができ、電動オンでは吸引清掃しながら払拭清掃も可能となる。しかも、空気膨張させたヘッドを使用するからモップとしてもかなり軽量であり、従来の電気掃除機の作用効果に加えてモップとしての作用効果を併有している。従って、超軽量の袋体からなるヘッドを有し、シニア層でも負担感なく掃除ができる清掃用具を提供することができる。本発明に係る清掃用具は、例えば、清掃用品小売業界、家庭用業務用清掃用品レンタル業界など多くの業界に利用できるものである。
【符号の説明】
【００３９】
１          モップ兼用型電気掃除機
２          被清掃面
１０        払拭体
１１        挿入口
１２        挿入口周壁
１３        吸気口
１４        吸気口周壁
１５        袋状包摂空間
１６        払拭片
１７        基布
２０        ヘッド
２１        袋体
２２        内部空間
２３        貫通孔
２４        空気バルブ
２５        表側貫通孔口
２６        裏側貫通孔口
４０        フレキシブルジョイント
４１        連通孔
４２        基端部
４３        パイプ受部
４４        蛇腹部
４５        連通孔上口
４６        連通孔下口
４７        外環部
４８        内環部
５０        パイプ
５１        パイプ開口
５２        パイプ孔
６０        電動操作部
６１        把持部
１０１      掃除用具載置台
１０２      基部
１０３      立設部
１０４      吸込口体載置部
１０５      突条
１０６      凹溝
１０７      支持腕
１０８      収納部
１０９      収納室
１１０      傾斜部
１１０ａ    顎部
１１１      入口
１１１ａ    切欠部
１１２      掻き落とし部
１１３      連通孔
１１４      連通路
Ａ          電気掃除機
Ｂ          吸込口体
Ｃ          吸込開口
Ｄ          乾式モップ
Ｅ          モップ部
Ｆ          ジョイント
Ｇ          ハンドル
１７０      吸入口
１８２      アーム
１９０      枢支ピン
１９６      移動止め
２００      可撓性ホース
２１０      床清掃装置
２１２      清掃ヘッド
２１３      被清掃床面
２１４      ハンドルアセンブリ
２１６      ユニバーサルジョイント
２１８      吸入ノズル
２２０      前縁
２２２      スプレーノズル
２２６      上方ハンドル部
２２８      筐体
２３２      ごみ収集アセンブリ
２５１      開口部
２６０      フランジ
２７０      パッド
２７４      延長部
２７５      上面
２８４      筒状スリーブ
２８６      開口部
２９０      液体送出システム
２９２      キャップ
【図１】
0006775330.tif 000002
【図２】
0006775330.tif 000003
【図３】
0006775330.tif 000004
【図４】
0006775330.tif 000005
【図５】
0006775330.tif 000006
【図６】
0006775330.tif 000007
【図７】
0006775330.tif 000008
【図８】
0006775330.tif 000009